(57)【要約】【課題】部品点数の削減により軽量化とコストダウンを図ることができる電気掃除機を提供すること。【解決手段】ダストカップユニットと、電動送風機を内蔵しかつ前記ダストカップユニットが装着される装着部を有する駆動装置と、前記ダストカップユニットを前記駆動装置の前記装着部に着脱可能とするロック機構部とを有する掃除機本体を備え、  前記ダストカップユニットは、底部と周囲壁部と開口部とを有する集塵容器と、前記集塵容器の前記開口部に着脱可能に嵌め込まれるカップ部と、前記カップ部に設けられた開口部に着脱可能に嵌め込まれるフィルター部とを有し、前記ロック機構部は、前記駆動装置と前記集塵容器とを係脱可能に係止する第１係止部と、前記駆動装置と前記カップ部とを係脱可能に係止する第２係止部とを有してなる電気掃除機。【選択図】図４
2018075188.tif 000002
【特許請求の範囲】
【請求項１】
ダストカップユニットと、電動送風機を内蔵しかつ前記ダストカップユニットが装着される装着部を有する駆動装置と、前記ダストカップユニットを前記駆動装置の前記装着部に着脱可能とするロック機構部とを有する掃除機本体を備え、
前記ダストカップユニットは、底部と周囲壁部と開口部とを有する集塵容器と、前記集塵容器の前記開口部に着脱可能に嵌め込まれるカップ部と、前記カップ部に設けられた開口部に着脱可能に嵌め込まれるフィルター部とを有し、
前記ロック機構部は、前記駆動装置と前記集塵容器とを係脱可能に係止する第１係止部と、前記駆動装置と前記カップ部とを係脱可能に係止する第２係止部とを有してなる電気掃除機。
【請求項２】
前記第１係止部は、前記ダストカップユニットの前記集塵容器の外周部に設けられた係止凹部と、前記駆動装置の前記装着部に設けられて前記係止凹部に係脱可能に係止するフック部材とを有し、
前記第２係止部は、前記駆動装置の前記装着部に設けられた係合凹部と、前記ダストカップユニットの前記カップ部に設けられて前記係合凹部と係脱可能に係合する係合爪とを有する請求項１に記載の電気掃除機。
【請求項３】
前記駆動装置の前記装着部に設けられた係止雄部と、前記ダストカップユニットの前記フィルター部に設けられて前記係止雄部と係脱可能に係止する係止雌部とをさらに有する請求項１または２に記載の電気掃除機。
【請求項４】
前記フィルター部は、外周部と、前記外周部に設けられた突起部とを有し、
前記カップ部は、その前記開口部の端縁部に設けられて前記突起部を嵌め入れる位置決め凹部を有する請求項３に記載の電気掃除機。
【請求項５】
前記駆動装置は、前記電動送風機が内蔵された本体部と、本体部から前方へ突出した吸込筒部とを有すると共に、前記本体部と前記吸込筒部とに沿ったスペースを前記装着部として有し、
前記ダストカップユニットの前記フィルター部は、その外周端部にパッキン部を有し、
前記ダストカップユニットが前記駆動装置の前記装着部に装着された状態において、前記パッキン部が前記本体部に密着するように構成された請求項１〜４のいずれか１つに記載の電気掃除機。
【発明の詳細な説明】
【技術分野】
【０００１】
本発明は、電気掃除機に関し、詳しくはサイクロン方式の電気掃除機に関する。
【背景技術】
【０００２】
従来の電気掃除機として、特許文献１では持ち運びに便利な電気掃除機が提案されている。
この電気掃除機は、ダストカップユニットと、前記ダストカップユニットが装着される装着部を有する駆動装置と、前記ダストカップユニットを前記駆動装置の前記装着部に着脱可能とするロック機構部とを有する掃除機本体と、掃除機本体に外部から取り付けられるバッテリーとを基本構成として備える。
駆動装置は、電動送風機を内蔵する本体部と、本体部から前方へ突出する吸込筒部とを有し、吸込筒部と本体部とに沿ったスペースが前記装着部とされている。
【０００３】
この電気掃除機は、延長管を介して掃除機本体の吸込筒部に吸込口体を接続することにより床面を清掃するスティックタイプとして構成され、掃除機本体の吸込筒部に直接吸込口体を接続するあるいは吸込ノズルを接続することにより棚上、階段等を清掃するハンディタイプとして構成される。
【０００４】
この電気掃除機において、ダストカップユニットは、底部およびこの底部と反対側の開口部を有する集塵容器と、集塵容器の開口部に着脱可能に嵌め込まれるフィルター部と、フィルター部を覆うカップカバーとを有する。
フィルター部は、筒形メッシュ状の第１フィルターを有するカップ部と、カップ部に保持されるプリーツ状の第２フィルターとを有している。
【０００５】
ロック機構部は、駆動装置とダストカップユニットの集塵容器の外周部とを係脱可能に係止する第１係止部と、駆動装置とダストカップユニットのカップカバーと係脱可能に係止する第２係止部とを有する。
第１係止部は、ダストカップユニットの集塵容器の外周部に設けられた係止凹部と、駆動装置の吸込筒部に設けられて前記係止凹部に係脱可能に係止するフック部材とを有してなる。
第２係止部は、駆動装置の本体部に設けられた係合凹部と、ダストカップユニットのカップカバーに設けられて前記係合凹部と係脱可能に係合する係合爪とを有してなる。
【０００６】
さらに、フィルター部には忘れ防止機構が設けられると共に、カップカバーには忘れ防止機構を覆うように収納する囲い部が設けられている。
忘れ防止機構は、カップ部に第２フィルター部が装着されていない場合、忘れ防止機構がカップカバーの一部に引っ掛かる位置に移動することで、カップカバーがカップ部に装着できないようになることで忘れ防止機構として機能する。
【０００７】
このように構成された特許文献１の電気掃除機によれば、第１および第２係止部の係止状態を解除してダストカップユニットを駆動装置から取り外し、ダストカップユニットのフィルター部をカップカバーと共に集塵容器から取り外すことにより、集塵容器内のダストを外部へ廃棄することができる。
【先行技術文献】
【特許文献】
【０００８】
【特許文献１】特開２０１５−１４４７８５号公報
【発明の概要】
【発明が解決しようとする課題】
【０００９】
特許文献１に記載のようなスティックタイプとハンディタイプに変更可能な電気掃除機は、使用時に掃除機本体およびバッテリーの重量が直接ユーザーの手元にかかるため、軽量化が望まれている。
【００１０】
本発明は、このような課題に鑑みなされたものであり、部品点数の削減により軽量化とコストダウンを図ることができる電気掃除機を提供することを目的とする。
【課題を解決するための手段】
【００１１】
かくして、本発明によれば、ダストカップユニットと、電動送風機を内蔵しかつ前記ダストカップユニットが装着される装着部を有する駆動装置と、前記ダストカップユニットを前記駆動装置の前記装着部に着脱可能とするロック機構部とを有する掃除機本体を備え、
前記ダストカップユニットは、底部と外周部と開口部とを有する集塵容器と、前記集塵容器の前記開口部に着脱可能に嵌め込まれるカップ部と、前記カップ部に設けられた開口部に着脱可能に嵌め込まれるフィルター部とを有し、
前記ロック機構部は、前記駆動装置と前記集塵容器とを係脱可能に係止する第１係止部と、前記駆動装置と前記カップ部とを係脱可能に係止する第２係止部とを有してなる電気掃除機が提供される。
【発明の効果】
【００１２】
本発明の電気掃除機におけるダストカップユニットは、従来のダストカップユニットのカップカバーを削減して部品点数が減少したものであるため、掃除機本体の軽量化およびコストダウン化が図られる。
【図面の簡単な説明】
【００１３】
【図１】本発明の実施形態１における電気掃除機を示す左側面図である。
【図２】実施形態１の電気掃除機における掃除機本体を示す斜視図である。
【図３】図２の掃除機本体のハンドルに設けられた操作部の内部構造を示す左側断面図である。
【図４】図２の掃除機本体の内部構造を示す左側断面図である。
【図５】図２の掃除機本体の駆動装置における筐体を分解した状態を示す斜視図である。
【図６】実施形態１の電気掃除機であって、（Ａ）は床面上に置いた状態、（Ｂ）は床面上で寝転んだ状態を示す図である。
【図７】実施形態１の電気掃除機における駆動装置の分解図である。
【図８】（Ａ）は駆動装置の左側面図であり、（Ｂ）は掃除機本体の左側面図である。
【図９】（Ａ）は図Ａ（Ａ）にＩ−Ｉ矢視断面図であり、（Ｂ）は図Ａ（Ｂ）のＩ−Ｉ矢視断面図である。
【図１０】実施形態１の電気掃除機におけるダストカップであって、（Ａ）は斜視図、（Ｂ）は分解図を示している。
【図１１】実施形態１の電気掃除機におけるダストカップであって、（Ａ）は正面図、（Ｂ）は（Ａ）のＩ−Ｉ矢視断面図、（Ｃ）は（Ａ）のＩＩ−ＩＩ矢視断面図を示している。
【図１２】ダストカップユニットであって、（Ａ）は下部の平断面図、（Ｂ）は側断面図である。
【図１３】実施形態１の電気掃除機における延長管であって、（Ａ）は正面図、（Ｂ）は側面図、（Ｃ）は（Ａ）のＩ−Ｉ矢視断面図である。
【図１４】図１３（Ａ）の延長管の分解図である。
【図１５】図１３（Ａ）の延長管における第１および第２接続管部の正面側から視た内部構造を示す説明図である。
【図１６】図１３（Ａ）の延長管における管本体の横断面図である。
【図１７】図１３（Ａ）の延長管における管本体の積層構造を説明する図である。
【図１８】図１３（Ａ）の延長管における導電ユニットであって、（Ａ）は正面図、（Ｂ）は側面図、（Ｃ）は背面図である。
【図１９】図１８（Ａ）の導電ユニットの分解図である。
【図２０】（Ａ）は図１８（Ａ）のＩ−Ｉ矢視断面図あり、（Ｂ）は図１８（Ａ）のＩＩ−ＩＩ矢視断面図あり、（Ｃ）は図１８（Ａ）のＩＩＩ−ＩＩＩ矢視断面図ある。
【図２１】図１８（Ａ）の導電ユニットにおけるカバープレート内のリード線を示す図である。
【図２２】図１３（Ａ）の延長管における第１接続管部の横断面図である。
【図２３】実施形態１の電気掃除機における吸込口体を示す底面図である。
【図２４】図２３に示す吸込口体の側面図である。
【図２５】図２３に示す吸込口体のＩ−Ｉ矢視断面図である。
【図２６】図２３に示す吸込口体のＩＩ−ＩＩ矢視断面図である。
【発明を実施するための形態】
【００１４】
（実施形態１）
図１は、本発明の実施形態１における電気掃除機を示す左側面図である。
実施形態１の電気掃除機１は、掃除機本体１０と、延長管２０と、吸込口体４０とを備える。延長管としては、管そのものを延長できる構造の有無には関係しなくてもよい。吸込口体を掃除機本体に直接取り付けて掃除を行うハンディタイプに比べて、吸込口体を延長管を介して掃除機本体に取り付けて掃除する場合は、電気掃除機本体から吸込口体までの距離を長くしたスティックタイプとして掃除を行うことができる。
【００１５】
＜掃除機本体について＞
図２は実施形態１の電気掃除機における掃除機本体を示す斜視図であり、図３は図２の掃除機本体のハンドルに設けられた操作部の内部構造を示す左側断面図である。また、図４は図２の掃除機本体の内部構造を示す左側断面図であり図５は図２の掃除機本体の駆動装置における筐体を分解した状態を示す斜視図である。また、図６は実施形態１の電気掃除機であって、（Ａ）は床面上に置いた状態、（Ｂ）は床面上で寝転んだ状態を示す図である。
掃除機本体１０は、駆動装置１１と、駆動装置１１に着脱可能に装着されるダストカップユニット１２およびバッテリー１３とを備える。
【００１６】
［駆動装置］
図２と図４、図５に示すように、駆動装置１１は、電動送風機１１ａｍを内蔵する本体部１１ａと、本体部１１ａに連設されたバッテリー装着部１１ｂと、本体部１１ａとバッテリー装着部１１ｂとに連設された両端部を有するハンドル１１ｃと、本体部１１ａとハンドル１１ｃとの接合部に連設されてハンドル１１ｃとは反対側へ突出する吸込筒部１１ｄとを有する。
以下、駆動装置１１における吸込筒部１１ｄ側を前方、ハンドル１１ｃ側を後方、バッテリー装着部１１ｂ側を下方、バッテリー装着部１１ｂと反対側を上方、ハンドル１１ｃを手前に向けた状態での左側および右側を左方向および右方向として説明する。
【００１７】
本体部１１ａは、前方開口部１１ａ1を有する円筒形の筐体部分にて外郭が構成されており、その前方開口部１１ａ1には格子状のリブが設けられている。
また、本体部１１ａの上面には嵌合凸部１１ａｘが設けられると共に、嵌合凸部１１ａｘの上面には本体部１１ａ内のリード線を外部に引き出す孔部が形成されている。
また、本体部１１ａにおいて、前方開口部１１ａ1の端縁に沿って内鍔が設けられており、内鍔の下部は幅が広い内鍔幅広部１１ａ11となっている。
さらに、内鍔幅広部１１ａ11には、後述するダストカップユニット１２に設けられた第２ロック機構部１２ｂ2の係止凹部１２ｃ11および係合爪１２ｂ23と係脱可能に係止する係止凸部１１ａ12および係合凹部１１ａ13が設けられている。なお、係止凸部１１ａ12は下方へ突出し、係合凹部１１ａ13は前方へ開口している。
【００１８】
バッテリー装着部１１ｂは、下方および後方に開口しかつ奥部にバッテリー１３の端子部と電気的に接続可能な端子部が設けられた凹部を有し、その凹部内に後方からバッテリー１３を挿入して装着し、バッテリー１３を後方へ引き出して凹部から取り外せるように構成されている。なお、バッテリー装着部１１ｂの凹部の左右内側面には前後方向に延びる凹溝が設けられると共に、バッテリー１３の左右側面には凸部が設けられており、バッテリー１３をバッテリー装着部１１ｂへ装着する際に左右の凸部が左右の凹溝内をスライドしながら嵌り込むように構成されている。
また、バッテリー装着部１１ｂを構成する筐体の右側面には、電動送風機１１ａｍを通過した気流を外部へ排出するための排気口１１ｂｘが形成されている（図４参照）。
【００１９】
ハンドル１１ｃは、上部湾曲部１１ｃ1および下部湾曲部１１ｃ2を有する略Ｕ形に形成されており、上部湾曲部１１ｃ1の外側に操作部１１ｅが設けられている。
図３と図４に示すように、操作部１１ｅは、ハンドル１１ｃの上部湾曲部１１ｃ1を構成する樹脂製の筐体に設けられた凹部１１ｅ1と、凹部１１ｅ1の外側に取り付けられた弾性材料（ゴム、エラストマー等）からなるパッド部１１ｅ2と、凹部１１ｅ1の内側（筐体内）に設けられたスイッチユニット１１ｅ3とを有する。
【００２０】
操作部１１ｅにおいて、凹部１１ｅ1の中央部には凸形リブ１１ｅ11が設けられると共に、凸形リブ１１ｅ11の前後位置には一対のＵ形スリットが形成されており、一対のＵ形スリットの内側領域が弾性変形可能な板バネ部１１ｅ12となっている。また、これら一対の板バネ部１１ｅ12の下面には凸部が設けられている。さらに、凹部１１ｅ1における一対のＵ形スリットよりも前後位置には、後述するパッド部１１ｅ2の前後一対の差込係止片１１ｅ24が差し込まれる係止孔部が形成されている。
【００２１】
パッド部１１ｅ2は、その上面側において、中央部１１ｅ21の前後位置に凹部１１ｅ22、１１ｅ23が設けられている。また、パッド部１１ｅ2は、その下面側において、中央部１１ｅ21の対応位置と一対の凹部１１ｅ22、１１ｅ23の対応位置に凸部が設けられると共に、それらの凸部の前後位置に一対の前記差込係止片１１ｅ24が設けられている。中央部１１ｅ21は凸形リブ１１ｅ11に当接し、前後の凹部１１ｅ22、１１ｅ23は板バネ部１１ｅ12と当接する。
【００２２】
スイッチユニット１１ｅ3は、ハンドル１１ｃは、上部湾曲部１１ｃ1内に設けられたリブ構造にて支持固定された回路基板１１ｅ31と、回路基板１１ｅ31に設けられた前後一対のスイッチ１１ｅ32、１１ｅ33とを有する。
この操作部１１ｅにおいて、回路基板１１ｅ31は次の操作を可能に構成されている。例えば、前のスイッチ１１ｅ32または後のスイッチ１１ｅ33を押すことにより電源が入る。その後、前のスイッチ１１ｅ32を１回押すと強モードとなり、２回押すと標準モードに切り替わり、３回以降はこれらを繰り返す。電源が入った状態で後のスイッチ１１ｅ33を押すと電源が切れる。
【００２３】
操作部１１ｅによる操作時において、ユーザーが指でパッド部１１ｅ2の前または後の凹部１１ｅ22、１１ｅ23を押すと、板バネ部１１ｅ12を介して前または後のスイッチ１１ｅ32、１１ｅ33が押される。しかし、清掃中にユーザーがパッド部１１ｅ2を握りしめても、パッド部１１ｅ2の前後の凹部１１ｅ22、１１ｅ23の間の中央部１１ｅ21は突出しかつ凸形リブ１１ｅ11にて支持されているため、掌で前後の凹部１１ｅ22、１１ｅ23が押し込まれることはなく、ユーザーが意図しない誤操作が抑制される。
【００２４】
図５に示すように、吸込筒部１１ｄとハンドル１１ｅは後述の第１、第２および第３部材１１ｘ、１１ｙ、１１ｚを組み立てて構成される。
図４と図５に示すように、第１部材１１ｘは、前後方向に延びる部材であり、ロック部材１１ｘ1およびフック部材１１ｘ2等を収納する凹部を前端部に有すると共に、本体部１１ａの前記嵌合凸部１１ａｘが嵌め込まれる嵌合孔部１１ｘ3を後端部に有する。
【００２５】
ロック部材１１ｘ1は、水平軸心廻りに揺動可能に第１部材１１ｘに取り付けられており、組み立て状態において、ロック部材１１ｘの前端部は第１部材１１ｘに形成された孔部から外部下方へ突出する押しボタン部として機能する。また、ロック部材１１ｘの後端部は、吸込筒部１１ｄの前方開口部１１ｄ1に延長管２０が差し込まれたときに、延長管２０の後述する第１接続管部２２の係合凹部２２ａ31（図９（Ａ）〜（Ｃ）参照）と係脱可能に係合する係合爪１１ｘ11として機能する。なお、組み立て状態において、第１部材１１ｘと第２部材１１ｙとの間には、ロック部材１１ｘの前端部を下方（外側）へ付勢するコイルスプリングが設けられている。
【００２６】
フック部材１１ｘ2は、掃除機本体１０に装着したダストカップユニット１２の後述する係止凹部１２ａ21と係脱可能に係止する部材であり、第１部材１１ｘに形成された孔部から下方外部へ突出している。
【００２７】
また、第１部材１１ｘは、前後方向の中間部の左側面に、第２部材１１ｙの後述する流出口１１ｙ11と接続される接続口１１ｘ4を有すると共に、後端部の下面側には、掃除機本体１０に装着されたダストカップユニット１２の後述する第１ロック機構部１２ｂ1を収納する凹部および位置決め凸部１２ｃ21が嵌り込む凹部１１ｘ12を有している。
【００２８】
第２部材１１ｙは、前記前方開口部１１ｄ1と前記流出口１１ｙ11とを連通させる前方筒部１１ｙ1と、前方筒部１１ｙ1と連設された中間リブ構造部１１ｙ2と、中間リブ構造部１１ｙ2と連設されてハンドル１１ｃの内側部分を構成する内側ハンドル構成部１１ｙ3とを有する。また、前方筒部１１ｙ1の下面側前端部には、本体部１１ａから引き出された図示しない一対のリード線と電気的に接続される一対の雌型端子部１１ｙ12が設けられると共に、内側ハンドル構成部１１ｙ3の湾曲した中間部には前記操作部１１ｅのスイッチユニット１１ｅ3が収納されている。
【００２９】
第３部材１１ｚは、前記中間リブ構造部１１ｙ2および内側ハンドル構成部１１ｙ3を覆う部材であり、中間部部分には前記操作部１１ｅのパッド部１１ｅ2が設けられている。
また、バッテリー装着部１１ｂの後部には、第２および第３部材１１ｙ、１１ｚの後端部と連結する連結部１１ｂ1が設けられている。この連結部１１ｂ1は、固定突出部１１ｂ11と、固定突出部１１ｂ11に揺動可能に設けられた押え部１１ｂ12とを有してなる。押え部１１ｂ12は、バッテリー１３を取り外すときに操作する。
【００３０】
第１〜第３部材１１ｘ、１１ｙ、１１ｚを組み立てる一例を説明すると、先ず、第１部材１１ｘの嵌合孔部１１ｘ3を本体部１１ａの嵌合凸部１１ａｘに嵌め込む。
次に、本体部１１ａから引き出した図示しない一対のリード線を第２部材１１ｙの一対の雌型端子部１１ｙ12に電気的に接続し、その一対の雌型端子部１１ｙ12を第２部材１１ｙの前端部に取り付けた後、第２部材１１ｙを第１部材１１ｘに重ね合わせる。これにより、第１部材１１ｘの接続口１１ｘ4に第２部材１１ｙの流出口１１ｙ11が接続されると共に、第２部材１１ｙの後端部が連結部１１ｂ1の固定突出部１１ｂ11に当接する。
【００３１】
そして、重ね合わせた第１および第２部材１１ｘ、１１ｙを超音波溶着機にセットし、第１部材１１ｘの前端部の左右端縁１１ｘｅと第２部材１１ｙの前方筒部１１ｙ1の左右端縁１１ｙｅとを超音波溶着する。なお、図２中の符号１１ｗは溶着部を示している。このように第１部材１１ｘおよび第２部材１１ｙの一部を超音波溶着することにより、タッピングネジによる連結構造が不要となるため、部品点数の削減および軽量化を図ることができる。なお、第１および第２部材１１ｘ、１１ｙは、例えばＡＢＳ樹脂にて形成されている。
【００３２】
次に、連結部１１ｂ1の押え部１１ｂ12を第２部材１１ｙ側へ揺動した後、第３部材１１ｚを第２部材１１ｙに重ね合わせる。これにより、第３部材１１ｚの後端部によって押え部１１ｂ12が押さえられる。
そして、タッピングネジＮにて第３部材１１ｚと第２部材１１ｙとを連結することにより、第２および第３部材１１ｙ、１１ｚの後端部が連結部１１ｂ1と連結し、ハンドル１１ｃおよび吸込筒部１１ｄが形成される。
【００３３】
この掃除機本体１０には、図６（Ａ）に示すように、掃除を中断して電気掃除機１を床面Ｆ上に置くことができるように、掃除機本体１０を支持する支持部材１１ｆがバッテリー装着部１１ｂの前端部に設けられている。支持部材１１ｆの材質としては、例えば、硬質ゴムが用いられる。
この支持部材１１ｆは、側面側から視て、下端部が前方へ少し突き出る湾曲形状に形成されると共に、正面側から視て、下端面が円弧状に形成されている。
【００３４】
図６（Ａ）の状態の電気掃除機１の延長管２０の下方には空間が設けられるため、延長管２０の真上から力を加えると破損するおそれがある。そこで、本発明では支持部材１１ｆの下端面を円弧形状に形成することにより、延長管２０の真上から力を加えるとバランスを崩して倒れ、図６（Ｂ）のように寝転んだ状態となるため、延長管２０の破損が防止される。なお、掃除を中断する際には、電気掃除機１を床面Ｆ上に置かず、支持部材１１ｆをテーブルの天板や椅子の背もたれに引っ掛けて電気掃除機１を凭れさせるように置くこともできる。
【００３５】
図７は実施形態１の電気掃除機における駆動装置の分解図であり、図８（Ａ）は駆動装置の左側面図であり、（Ｂ）は掃除機本体の左側面図である。また、図９（Ａ）は図Ａ（Ａ）にＩ−Ｉ矢視断面図であり、（Ｂ）は図Ａ（Ｂ）のＩ−Ｉ矢視断面図である。
以下、図２〜図９を参照しながら駆動装置１１の構成部品についてさらに説明する。
先ず、駆動装置１１の本体部１１ａは、電動送風機１１ａｍを収納する左右一対の電動送風機用カバー１１ａｃ1、１１ａｃ2を備える。
左側の電動送風機用カバー１１ａｃ1の前端部には本体部１１ａの前記前方開口部１１ａ1が一体形成されると共に、各電動送風機用カバー１１ａｃ1、１１ａｃ2の上部には前記嵌合凸部１１ａｘの半割部１１ａｘ1が一体形成されている。なお、前方開口部１１ａ1には前記係止凸部１１ａ12が取り付けられる。
また、本体部１１ａ内には、電動送風機１１ａｍの後端部を左右一対の電動送風機用カバー１１ａｃ1、１１ａｃ2に固定する一対の防振用ゴム１１ａｃ3と、電動送風機１１ａｍの前端部と前方開口部１１ａ1の外周部内面との間に配置されるパッキン１１ａｃ4とが設けられる。
【００３６】
次に、駆動装置１１のバッテリー装着部１１ｂは、本体部１１ａの下部に図示しないネジにて連結される左右一対のバッテリー装着部用筐体１１ｂｃ1、１１ｂｃ2を備える。
右側のバッテリー装着部用筐体１１ｂｃ2の側面には前記排気口１１ｂｘが形成されると共に、各バッテリー装着部用筐体１１ｂｃ1、１１ｂｃ2の前端部および後端部には、前記支持部材１１ｆの心材となる一対の半割部１１ｂｃ3および前記固定突出部１１ｂ11の一対の半割部１１ｂｃ4が一体形成されている。なお、左右一対のバッテリー装着部用筐体１１ｂｃ1、１１ｂｃ2を組み立てる際に一対の半割部１１ｂｃ4に前記押え部１１ｂ12が揺動可能に取り付けられると共に、組み立て後の一対の半割部１１ｂｃ3上に前記支持部材１１ｆが覆うように取り付けられる。この際、支持部材１１ｆをラバー製にして覆うようにしてもよい。また、接着剤で貼り付けてもよい。
【００３７】
また、各バッテリー装着部用筐体１１ｂｃ1、１１ｂｃ2は、それらの前端部から後端部に亘って仕切り板１１ｂｃ5が連設されると共に、それらの側壁下端部にはバッテリー１３の左右側面の凸部１３ｂを前後方向スライド可能に支持する凹溝を形成する下端側壁部１１ｂｃ6が連設されている。
また、バッテリー装着部１１ｂ内には、バッテリー１３の端子部１３ａと電気的に接続可能な端子部１１ｂｃ8を有する回路基板１１ｂｃ7である。
【００３８】
駆動装置１１のハンドル１１ｃおよび吸込筒部１１ｄは、前記第１、第２および第３部材１１ｘ、１１ｙ、１１ｚを備える。
第１部材１１ｘ内には、電気掃除機１の運転時および吸込力強のときに点灯する複数のＬＥＤライトを有するＬＥＤ基板１１ｘｓが設けられる。
また、第１部材１１ｘには、第２部材１１ｙの流出口１１ｙ11と連結する図示しない流出口にパッキン１１ｘｐが取り付けられると共に、その前端側に前記ロック部材１１ｘ1およびフック部材１１ｘ2が取り付けられる。
さらに、吸込筒部１１ｄの流出口の後方に設けられた凹部１１ｘ12内には、フィルター装着忘れ防止部材１１ｘ5が前後方向の軸心Ｑ廻りに回動可能に取り付けられる（図４、図９（Ａ）参照）。このフィルター装着忘れ防止部材１１ｘ5（以下、「装着忘れ防止部材１１ｘ5」という場合がある）は、フィルター部１２ｃが組み込まれていないダストカップユニット１２を駆動装置１１の本体部１１ａに装着しようとしても装着できないように阻止する機能を有する。なお、これについて詳しくは後述する。
【００３９】
［ダストカップユニット］
図１０は実施形態１の電気掃除機におけるダストカップであって、（Ａ）は斜視図、（Ｂ）は分解図を示している。また、図１１は実施形態１の電気掃除機におけるダストカップであって、（Ａ）は正面図、（Ｂ）は（Ａ）のＩ−Ｉ矢視断面図、（Ｃ）は（Ａ）のＩＩ−ＩＩ矢視断面図を示している。また、図１２はダストカップユニットであって、（Ａ）は下部の平断面図、（Ｂ）は側断面図である。
【００４０】
ダストカップユニット１２は、底部１２ａ1、外周部１２ａ2および開口部１２ａ3を有する円筒形の集塵容器１２ａと、集塵容器１２ａの開口部１２ａ3に嵌め込まれるカップ部１２ｂと、カップ部１２ｂ内に着脱可能に収納されるフィルター部１２ｃと、集塵容器１２ａ内に収納されるようにカップ部１２ｂに着脱可能に取り付けられる内筒部１２ｄとを備える。
【００４１】
《集塵容器》
集塵容器１２ａは、正面から視て、外周部１２ａ2における中心線Ｐ上の底部１２ａ1側に係止凹部１２ａ21が設けられると共に、外周部１２ａ2における中心線Ｐ上の開口部１２ａ3側に係止凸部１２ａ22が設けられている。さらに、集塵容器１２ａは、正面から視て、外周部１２ａ2における中心線Ｐからずれた位置に塵埃を含む空気を導入する導入口１２ａ23が設けられている。
【００４２】
また、図１２（Ａ）および（Ｂ）に示すように、集塵容器１２ａは、底部１２ａ1における中央位置から外側へずれた位置に四角錐形の凸部１２ａ4が設けられている。この凸部１２ａ4は、集塵容器１２ａ内の下部スペース（集塵容器１２ａと内筒部１２ｄの後述する小径筒部１２ｄ21との間のスペース）に溜まったダストが旋回気流によって旋回しないように止める機能を有する。
【００４３】
《カップ部》
カップ部１２ｂは、中心孔およびその周囲の逆テーパ面を有する底部と、底部に連設された円筒形の外周部と、外周部に設けられた第１ロック機構部１２ｂ1および第２ロック機構部１２ｂ2と、底部下面における中心孔の周囲に設けられた一対の円弧状溝１２ｂ3と、外周部における底部付近に設けられたパッキン１２ｂ4と、外周部における底部と反対側の開口端部に設けられた切欠き部１２ｂ5とを有する。
また、カップ部１２ｂは、外周面における切欠き部１２ｂ5の横位置に設けられた検知凸部１２ｂ6を有している。この検知凸部１２ｂ6の機能について詳しくは後述する。
【００４４】
第１ロック機構部１２ｂ1は、カップ部１２ｂの外周面に設けられた逆Ｕ形のリブと、このリブに水平軸心回りに揺動可能に取り付けられた揺動片１２ｂ11と、揺動片１２ｂ11の下端に設けられて集塵容器１２ａの係止凸部１２ａ22と係脱可能に係止する係止爪１２ｂ12と、係止爪１２ｂ12を係止凸部１２ａ22に係止させる方向に付勢するコイルスプリング１２ｂ13とを有する。
【００４５】
第２ロック機構部１２ｂ2は、カップ部１２ｂの外周面に設けられた凸形のリブと、このリブに上下方向スライド可能に取り付けられたスライド部材１２ｂ21と、スライド部材１２ｂ21の上端部に設けられて掃除機本体１０の前記係合凹部１１ａ13と係脱可能に係合する前記係合爪１２ｂ22と、係合爪１２ｂ22を係合凹部１１ａ13に係合させる方向に付勢するコイルスプリング１２ｂ23とを有する。
さらに、第２ロック機構部１２ｂ2は、後述するフィルター部１２ｃに設けられた前記係止凹部１２ｃ11を構成要素として含む。
【００４６】
《フィルター部》
フィルター部１２ｃは、円環状の外周枠部を有するプリーツ状のフィルター本体１２ｃ1と、フィルター本体１２ｃ1の外周枠部の外周部を覆うパッキン部１２ｃ2とを有する。そして、フィルター本体１２ｃ1の外周枠部の内周面に径方向内側に開口する前記係止凹部１２ｃ11が設けられると共に、パッキン部１２ｃ2の外周面に位置決め凸部１２ｃ21が設けられている。
【００４７】
係止凹部１２ｃ11と位置決め凸部１２ｃ21とは相互に概ね反対位置に配置されている。
フィルター部１２ｃをカップ部１２ｂの開口部に嵌め込む際、フィルター部１２ｃの位置決め凸部１２ｃ21をカップ部１２ｂの切欠き部１２ｂ5に落とし込んで位置決めする。すると、フィルター部１２ｃの係止凹部１２ｃ11はカップ部１２ｂの第２ロック機構部１２ｂ2の位置に配置される。また、パッキン部１２ｃ2は、カップ部１２ｂの開口部内周面に設けられた段部に密着して支持される。
【００４８】
《内筒部》
内筒部１２ｄは、カップ部１２ｂに着脱可能に取り付けられる筒形フィルター部１２ｄ1と、筒形フィルター部１２ｄ1と着脱可能に取り付けられる筒形の仕切部材１２ｄ2とを有する。
筒形フィルター部１２ｄ1は、軸方向に延びる複数のスリットを有する筒形枠体１２ｄ11と、筒形枠体１２ｄ11の外周部に設けられたメッシュ部材１２ｄ12とを有する。
筒形枠体１２ｄ11は、その外周部上端に設けられてカップ部１２ｂの一対の円弧状溝１２ｂ3と係脱可能に係止する一対の係止片１２ｄ111と、その外周部下端に設けられて仕切部材１２ｄ2の後述する一対の円弧状溝１２ｄ231と係脱可能に係止する一対の係止片１２ｄ112とを有する。
【００４９】
仕切部材１２ｄ2は、小径筒部１２ｄ21と、大径筒部１２ｄ22と、小径筒部１２ｄ21の上端部と大径筒部１２ｄ22の内周面とを連結するフランジ部１２ｄ23とを有する。
フランジ部１２ｄ23は、その上面に設けられて筒形フィルター部１２ｄ1の下端部の一対の係止片１２ｄ112と係脱可能に係止する一対の前記円弧状溝１２ｄ231を有する。
【００５０】
図１２（Ａ）および（Ｂ）に示すように、大径筒部１２ｄ22は、その下端に外フランジ１２ｄ221を有している。この外フランジ１２ｄ221は、平面視楕円形であり、楕円形であることによって外フランジ１２ｄ221と集塵容器１２ａとの間の隙間を均等にせず、狭い隙間Ｓ1と広い隙間Ｓ2を形成する。これにより、集塵容器１２ａの下部に溜まったダストが旋回気流Ｇによって舞い上がり、舞い上がったダストが内筒部１２ｄの筒形フィルター部１２ｄ1に付着することにより生じる吸引力低下を抑制することができる。
【００５１】
さらに詳しく説明すると、集塵容器１２ａの底部１２ａ1にはダストの旋回を防止する前記凸部１２ａ4を設けているが、仕切部材１２ｄ2のフランジ部１２ｄ23から集塵容器１２ａの底部１２ａ1までの距離が短いため、外フランジ１２ｄ221が無い場合、凸部１２ａ4に当たったダストが仕切部材１２ｄ2より上の筒形フィルター部１２ｄ1まで舞い上がって付着し、吸引力が低下することがある。
この課題を解決すべく、仕切部材１２ｄ2の下端に外フランジ１２ｄ221を設けてダストが上方へ舞い上がりにくくなるようにしている。
【００５２】
但し、外フランジ１２ｄ221の外周面から集塵容器１２ａの内周面までの間の隙間が小さすぎると、吸引した大きなダストが外フランジ１２ｄ221より下方へ侵入しなくなってしまう。そこで、本発明においては、隙間を均等にせず、凸部１２ａ4に当たったダストが舞い上がりやすい箇所には前記狭い隙間Ｓ1を形成し、ダストが舞い上がりにくい箇所には前記広い隙間Ｓ2を形成して大きいダストが落下できるよう、外フランジ１２ｄ221を楕円形にしている。本実施形態の場合、外フランジ１２ｄ221の長径Ｄ1を６１ｍｍ、短径Ｄ2を５７ｍｍ、狭い隙間Ｓ1を６ｍｍ、広い隙間Ｓ2を８ｍｍに設定しているが、これらに限定されるものではない。
なお、凸部１２ａ4は、１ヶ所のみに設けられているため、本来、狭い隙間Ｓ1も１ヶ所で十分である。本実施形態の場合、仕切部材１２ｄ2と筒型フィルター部１２ｄ1とは、着脱可能で円弧状溝と係止片により係止する構造を有しており、この係止構造は１８０度の反対側に回転しても係止できるロック機構を有しているため、筒型フィルター部１２ｄ1に対する仕切部材１２ｄ2の係止位置によっては１ヶ所の狭い隙間Ｓ1がダストの舞い上がりやすい位置に配置されないことがあるため、前記狭い隙間Ｓ1も同様に１８０度の反対側にも設けられている。換言すると、仕切部材１２ｄ2が筒型フィルター部１２ｄ1に対して１８０度のどちら側に係止されても、凸部１２ａ4に対する狭い隙間Ｓ1の位置は同じになるように、すなわち、一対の狭い隙間Ｓ1のうちの一方は必ずダストが舞い上がりやすい位置となるように、外フランジ１２ｄ221は楕円形状に形成されている。
【００５３】
ダストカップユニット１２の組み立て状態において、仕切部材１２ｄ2の小径筒部１２ｄ21は、集塵容器１２ａの内底面に設けられた位置決め筒部１２ａ24に嵌り込むと共に、位置決め筒部１２ａ24の周囲に設けられたパッキン１２ａ25に当接する。この状態において、集塵容器１２ａ内には、仕切部材１２ｄ2の大径筒部１２ｄ22の下方にダストの塊が溜まるスペースが形成される。
【００５４】
［駆動装置に対するダストカップユニットの脱着について］
図９（Ａ）および（Ｂ）に示すように、駆動装置１１の前記装着忘れ防止部材１１ｘ5は、前後方向の軸心Ｑ廻りに回動可能に吸込筒部１１ｄに設けられている。この装着忘れ防止部材１１ｘ5は、駆動装置１１にダストカップユニット１２が装着されていない状態（図９（Ａ））において、吸込筒部１１ｄから下方外部へ突出する第１当接部１１ｘ51および吸込筒部１１ｄ内に収納される第２当接部１１ｘ52を有している。
【００５５】
ダストカップユニット１２（フィルター部１２ｃあり）を掃除機本体１０に装着する際は、まず、ダストカップユニット１２を吸込筒部１１ｄに対して傾けた状態でダストカップユニット１２の係止凹部１２ａ21を掃除機本体１０のフック部材１１ｘ2に引っ掛ける。そして、フック部材１１ｘ2を支点としてダストカップユニット１２を吸込筒部１１ｄに対して平行な状態にしていくことにより、ダストカップユニット１２の係止凹部１２ｃ11に掃除機本体１０の係止凸部１１ａ12が係止すると共に、ダストカップユニット１２の第２ロック機構部１２ｂ2の係合爪１２ｂ22が駆動装置１１の係合凹部１１ａ13に係合し、装着が完了する。
【００５６】
このとき、図９（Ａ）および（Ｂ）に示すように、フィルター部１２ｃの位置決め凸部１２ｃ21が装着忘れ防止部材１１ｘ5の第１当接部１１ｘ51に当接して第１当接部１１ｘ51を凹部１１ｘ12内に押し込んでいき、それによって装着忘れ防止部材１１ｘ5が回動し、第２当接部１１ｘ52も回動しながら下方外部へ突出する。しかし、第１当接部１１ｘ51が凹部１１ｘ12内の奥まで押し込まれることにより、第２当接部１１ｘ52は装着忘れ防止部材１１ｘ5の方へ近づきながら再び凹部１１ｘ12内に収納される。この間、ダストカップユニット１２の検知凸部１２ｂ6も凹部１１ｘ12の方へ移動しており、検知凸部１２ｂ6は第２当接部１１ｘ52を避けながら凹部１１ｘ12内に収納される。
【００５７】
ダストカップユニット１２を掃除機本体１０から取り外す際は、第２ロック機構部１２ｂ2のスライド部材１２ｂ２１を押し下げた状態でフック部材１１ｘ2を支点としてダストカップユニット１２を吸込筒部１１ｄに対して傾けていくことにより、容易に取り外すことができる。
【００５８】
次に、図９（Ａ）および（Ｂ）を参照しながら、フィルター部１２ｃがカップ部１２ｂに組み込まれていないダストカップユニットを駆動装置１１に装着する場合を説明する。
例えば、ユーザーがフィルター部１２ｃをカップ部１２ｂに組み込むのを忘れたままダストカップユニットを駆動装置１１に装着しようとすると、前記のようにフィルター部１２ｃの位置決め凸部１２ｃ21が装着忘れ防止部材１１ｘ5の第１当接部１１ｘ51に当接して第１当接部１１ｘ51を凹部１１ｘ12内に押し込むことができず、カップ部１２ｂの切欠き部１２ｂ5（図１０（Ｂ）参照）が第１当接部１１ｘ51に接近する。すると、カップ部１２ｂの検知凸部１２ｂ6が装着忘れ防止部材１１ｘ5の第２当接部１１ｘ52に当接して第２当接部１１ｘ52を凹部１１ｘ12内に押し込もうとする。
【００５９】
このとき、検知凸部１２ｂ6は第２当接部１１ｘ52を第１当接部１１ｘ51側と反対側へ回動させようとするが、第２当接部１１ｘ52は凹部１１ｘ12を構成する側壁に当たって回動が阻止される。これにより、カップ部１２ｂがそれ以上吸込筒部１１ｄの方へ接近できないため、ダストカップユニットの第２ロック機構部１２ｂ2の係合爪１２ｂ22が駆動装置１１の係合凹部１１ａ13に係合してロックできず、ダストカップユニット（フィルター部１２ｃなし）を駆動装置１１に装着することができない。
【００６０】
これにより、ユーザーはダストカップユニットにフィルター部が組み込まれていないことに気付くことができる。すなわち、本発明における電気掃除機によれば、フィルター装着忘れをユーザーに気付かせて正しい電気掃除機の使用を促すと共に、フィルター部を有さない状態で電気掃除機を駆動させ、ダストを吸い込んだ駆動装置が故障するという不具合を防止することができる。
【００６１】
＜延長管の構造について＞
図１３は実施形態１の電気掃除機における延長管であって、（Ａ）は正面図、（Ｂ）は側面図、（Ｃ）は（Ａ）のＩ−Ｉ矢視断面図である。また、図１４は図１３（Ａ）の延長管の分解図であり、図１５は図１３（Ａ）の延長管における第１および第２接続管部の正面側から視た内部構造を示す説明図であり、図１６は図１３（Ａ）の延長管における管本体の横断面図であり、図１７は図１３（Ａ）の延長管における管本体の積層構造を説明する図である。
【００６２】
延長管２０は、円形の管本体２１と、管本体２１の一端部に設けられて掃除機本体と着脱可能に接続される筒形の第１接続管部２２と、管本体２１の他端部に設けられて吸込口体と着脱可能に接続される筒形の第２接続管部２３と、第１接続管部２２から第２接続管部２３に亘って設けられた導電ユニット２４とを備える。
【００６３】
［管本体］
管本体２１は、筒形炭素繊維層２１ａが複数積層してなり、パイプ状（本体パイプ２１）である。実施形態１の場合、複数積層した筒形炭素繊維層２１ａは、第１筒形炭素繊維層２１ａ1、第２筒形炭素繊維層２１ａ2および第３筒形炭素繊維層２１ａ3が内側からこの順に積層されてなる。なお、第３筒形炭素繊維層２１ａ3の外周面には最外層として樹脂コーティング層２１ｂが積層されている。そして、ドライカーボンとして加工する。ドライカーボンは、内部を高圧力にすることが可能な耐圧性の装置を用いて、加圧可能な窯で成型するものである。
【００６４】
第１筒形炭素繊維層２１ａ1は、管長手方向と平行に延びる複数の炭素繊維を有する１方向炭素繊維シートからなる。
第２筒形炭素繊維層２１ａ2および第３筒形炭素繊維層２１ａ3は、複数の炭素繊維の経糸および緯糸を有する２方向炭素繊維シートからなる。
１方向炭素繊維シートおよび２方向炭素繊維シートとしては、炭素繊維間に予め樹脂が含浸された市販のプリプレグシートを用いることができる。なお、複数の炭素繊維は、経糸および緯糸以外に、斜め方向のようにクロスした糸状で構成することができる。また、クロスしたものや経糸および緯糸などの組合せを自由に組み替えてもよい。
【００６５】
管本体２１は、市販のプリプレグシートを用いて第１〜第３筒形炭素繊維層２１ａ1〜２１ａ3を１層ずつ型を用いた公知の方法によって成形し積層することによって製造することができる。例えば、金属棒のような軸棒に巻き付けていく方法がある。
なお、実施形態１の場合、形成後の管本体２１の両端部の対向位置に、第１および第２接続管部２２、２３との接続位置を位置決めするための小さい切欠き部２１ｎが切削によって形成される。
【００６６】
管本体２１において、第１筒形炭素繊維層２１ａ1の厚みＴ1は約０．１ｍｍであり、第２および第１筒形炭素繊維層２１ａ1の厚みＴ2、Ｔ3はそれぞれ約０．３ｍｍであり、樹脂コーティング層２１ｂの厚みＴ4は約０．１ｍｍであり、全体的な厚みＴ5は約０．８ｍｍである。なお、第１〜第３筒形炭素繊維層２１ａ1〜２１ａ3の厚みは、それらの形成時に用いた１方向および２方向炭素繊維シートの厚みに由来する。
【００６７】
また、各筒形炭素繊維層２１ａは、管長手方向に延びる両端部を有すると共に、この両端部の端面同士が当接した端面当接部２１ａｘを有する。なお、端面当接部２１ａｘは、各筒形炭素繊維層２１ａの形成時に用いた１方向および２方向炭素繊維シートの両端部の端面同士が融着した部分である。
管本体２１において、一の筒形炭素繊維層２１ａの端面当接部２１ａｘと隣接する他の筒形炭素繊維層２１ａの端面当接部２１ａｘとは相互に重ならない位置に配置されている。実施形態１の場合、各当接端面部２１ａｘは中心角度１２０°ずれた位置に配置されている。このように各当接端面部２１ａｘの位置を周方向に均等にずらすことにより、管本体に剛性の強弱部分を作らず均一化することができる。
【００６８】
各筒形炭素繊維層２１ａはそれぞれ端面当接部２１ａｘを有するため、各筒形炭素繊維層２１ａは段差のない均一な厚みの層となって形成されている。つまり、管本体の製造時に金属棒に炭素繊維シートを単に３重巻きした場合では、１重巻きの終端部と２重巻きの始端部の間および２重巻きの終端部と３重巻きの始端部の間に段差が生じるが、実施形態１の管本体２１では第１〜第３筒形炭素繊維層２１ａ1〜２１ａ3の３層が独立した層であるため、このような段差が生じない。そのため、管本体２１は均一な厚みで形成され、全体的に均一な剛性を有するものとなる。
【００６９】
［第１接続管部］
第１接続管部２２は、掃除機本体１０と接続される部分であり、接続管本体２２ａと、小片２２ｂと、（第１）カバー部材２２ｃとを有する。
接続管本体２２ａは、管本体２１の一端部内に挿入され接着剤にて固定される（第１）固定部２２ａ1と、固定部２２ａ1に連設されて導電ユニット２４の後述する一対の雄型端子部２４ａ2を保持する（第１）端子保持部２２ａ2と、端子保持部２２ａ2に連設されて掃除機本体１０の前方開口部１１ｄ1内に挿入される挿入部２２ａ3とを有する。
【００７０】
固定部２２ａ1は、導電ユニット２４の後述する支持プレート２４ｂの一端部を受ける一対の受け片２２ａ11を内周面に有すると共に、管本体２１の一方の切欠き部２１ｎと係合する位置決め凸部２２ａ12を外周面における端子保持部２２ａ2との境界部に有している。
端子保持部２２ａ2は、その外周面における位置決め凸部２２ａ12側に凹部を有し、その凹部に導電ユニット２４の一対の雄型端子部２４ａ2およびリード線２４ａ1を内部から外部へ挿通させる（第１）引出し口２２ａ21が形成されている。
【００７１】
さらに、端子保持部２２ａ2の凹部には、一対の雄型端子部２４ａ2を所定間隔をもって互いに平行に保持するリブ構造２２ａ22と、カバー部材２２ｃを取り付けるタッピングネジ２２ｄがねじ込まれるボス部２２ａ23とが設けられている。
挿入部２２ａ3は、その外周面における位置決め凸部２２ａ12側に、掃除機本体１０の前記ロック部材１１ｘ1の係合爪１１ｘ11と係脱可能に係合する係合凹部２２ａ31を有する。
【００７２】
小片２２ｂは、一対のリード線２４ａ1が挿通した接続管本体２２ａの引出し口２２ａ21を覆う部材であり、電気掃除機１の使用時に延長管２０内を通過する空気中の塵埃が引出し口２２ａ21から雄型端子部２４ａ2側へ流入しないように機能すると共に、雄型端子部２４ａ2を保護している。
カバー部材２２ｃは、タッピングネジ２２ｄをボス部２２ａ23にねじ込むことにより接続管本体２２ａの端子保持部２２ａ2の凹部を覆い、かつ小片２２ｂを押し付けて接続管本体２２ａに固定する。
【００７３】
［第２接続管部］
第２接続管部２３は、吸込口体４０と接続される部分であり、接続管本体２３ａと、小片２３ｂと、ロック部材２３ｃと、コイルスプリング２３ｄと、（第２）カバー部材２３ｅとを有する。
接続管本体２３ａは、管本体２１の他端部内に挿入され接着剤にて固定される（第２）固定部２３ａ1と、固定部２３ａ1に連設されて導電ユニット２４の後述する一対の雌型端子部２４ａ3を保持する（第２）端子保持部２３ａ2とを有する。
【００７４】
固定部２３ａ1は、導電ユニット２４の支持プレート２４ｂの他端部を受ける一対の受け片（図示省略）を内周面に有すると共に、管本体２１の他方の切欠き部２１ｎと係合する位置決め凸部２３ａ12を外周面における端子保持部２３ａ2との境界部に有している。
端子保持部２３ａ2は、その外周面における位置決め凸部２３ａ12側に凹部を有し、その凹部に導電ユニット２４の一対の雌型端子部２４ａ3およびリード線２４ａ1を内部から外部へ挿通させる（第２）引出し口２３ａ21が形成されている。さらに、端子保持部２３ａ2の凹部には、一対の雌型端子部２４ａ3を所定間隔をもって互いに平行に保持するリブ構造２３ａ22と、カバー部材２３ｅを取り付けるタッピングネジ２２ｆがねじ込まれるボス部２３ａ23とが設けられている。
【００７５】
ロック部材２３ｃは、軸部２３ｃ1と、軸部２３ｃ1を挟むように連設されたボタン部２３ｃ2および係止爪部２３ｃ3とを有し、端子保持部２３ａ2の凹部内に取り付けられている。この際、軸部２３ｃ1はリブ構造２３ａ22に回動可能に取り付けられている。また、係止爪部２３ｃ3は、接続管本体２３ａの凹部底面に形成された孔部から接続管本体２３ａ内に突出可能とされている。
コイルスプリング２３ｄは、ロック部材２３ｃのボタン部２３ｃ2を外方へ付勢するように接続管本体２３ａの凹部内に設けられている。
【００７６】
小片２３ｂは、一対のリード線２４ａ1が挿通した接続管本体２３ａの引出し口２３ａ21を覆う部材であり、電気掃除機１の使用時に延長管２０内を通過する空気中の塵埃が引出し口２３ａ21から雌型端子部２４ａ3側へ流入しないように機能すると共に、雌型端子部２４ａ3を保護している。
カバー部材２３ｅは、ロック部材２３ｃのボタン部２３ｃ2を外部へ露出させる孔部２３ｅ1を有している。このカバー部材２３ｅは、タッピングネジ２２ｆをボス部２３ａ23にねじ込むことにより接続管本体２３ａの端子保持部２３ａ2の凹部を覆い、小片２３ｂを押し付けて接続管本体２３ａに固定すると共に、ロック部材２３ｃが脱落しないようにしている。
【００７７】
［導電ユニット］
図１８は図１３（Ａ）の延長管における導電ユニットであって、（Ａ）は正面図、（Ｂ）は側面図、（Ｃ）は背面図である。また、図１９は図１８（Ａ）の導電ユニットの分解図である。また、図２０（Ａ）は図１８（Ａ）のＩ−Ｉ矢視断面図あり、（Ｂ）は図１８（Ａ）のＩＩ−ＩＩ矢視断面図あり、（Ｃ）は図１８（Ａ）のＩＩＩ−ＩＩＩ矢視断面図ある。また、図２１は図１８（Ａ）の導電ユニットにおけるカバープレート内のリード線を示す図であり、図２２は図１３（Ａ）の延長管における第１接続管部の横断面図である。なお、図２０（Ａ）および（Ｃ）の断面図は後述する突出片２４ｃ2の位置の断面である。
【００７８】
導電ユニット２４は、一対の導電ケーブル２４ａと、一対の導電ケーブル２４ａを収納する長細い中空プレート２４ｘとを備える。
中空プレート２４ｘは、一対の導電ケーブル２４ａを挟み込むように収納する支持プレート２４ｂおよびカバープレート２４ｃを有してなり、これらは導電ユニット２４の組み立て時に超音波溶着により一体化される。なお、接着剤で一体化してもよい。
一対の導電ケーブル２４ａおよび支持プレート２４ｂは管本体２１よりも長い長さを有し、一対の導電ケーブル２４ａは支持プレート２４ｂよりも長い長さを有し、支持プレート２４ｂはカバープレート２４ｃよりも長い長さを有している。
【００７９】
各導電ケーブル２４ａは、絶縁性のチューブにて被覆されたリード線２４ａ1と、リード線２４ａ1の両端部に電気的に接続されたピン形の雄型端子部２４ａ2およびクリップ形の雌型端子部２４ａ3とを有する。
延長管２０を掃除機本体１０および吸込口体４０に接続した状態において、延長管２０の雄型端子部２４ａ2は掃除機本体１０の雌型端子部１１ｙ12に差し込まれて電気的に接続し、延長管２０の雌型端子部２４ａ3に吸込口体４０の後述する雄型端子部４２ａ（図２３参照）が差し込まれて電気的に接続する。
【００８０】
支持プレート２４ｂは、凹形の横断面形状を有するベース部２４ｂ1と、ベース部２４ｂ1の両側面における上端部に沿って設けられた一対の引っ掛け片２４ｂ2とを有し、絶縁性の樹脂（例えば、ＡＢＳ樹脂）にて形成されている。
カバープレート２４ｃを受ける支持プレート２４ｂのベース部２４ｂ1の底部は平坦となっている。
【００８１】
カバープレート２４ｃは、略ｍ形の横断面形状を有するベース部２４ｃ1と、ベース部２４ｃ1の両端部における外面に設けられた突出片２４ｃ2とを有し、絶縁性の樹脂（例えば、ＡＢＳ樹脂）にて形成されている。なお、両端部の一対の突出片２４ｃ2  は、これら一対の突出片２４ｃ2との間にゴミなどの異物が入り込まないように遮断する壁の役割を果たしている。
ベース部２４ｃ1は、幅方向の中央部に長手方向に沿って設けられて一対の導電ケーブル２４ａを個別に収納する一対の溝部２４ｃ11を有する。
【００８２】
また、ベース部２４ｃ1における溝部２４ｃ11とは反対側の外面の横断面形状は円弧形状となっており、前記突出片２４ｃ2の外面の横断面形状も円弧形状となっている。
なお、支持プレート２４ｂの一対の引っ掛け片２４ｂ2の外面の横断面形状は、カバープレート２４ｃの各突出片２４ｃ2の円弧形状と連続的な円弧形状部分２４ｂ21と、平坦面部分２４ｂ22とを有している。
【００８３】
また、ベース部２４ｃ1は、一対の溝部２４ｃ11の両端部２４ｃｅおよび中間部２４ｃｃには各溝部２４ｃ11内に収納したリード線２４ａ1を挟み込んで位置ずれを防止する一対の半球形リブ２４ｃ3がそれぞれ設けられている。なお、半球形リブ２４ｃ3は、一対でなくても、一ヶ所にあってもよく、等間隔に交互にあってもよい。
また、ベース部２４ｃ1における各溝２４ｃ11の両側には長手方向に沿って一対の突条部２４ｃ4が設けられている。
【００８４】
導電ユニット２４は、カバープレート２４ｃの各溝部２４ｃ11内に各導電ケーブル２４ａを収納し、溝部２４ｃ11側に支持プレート２４ｂを被せた後、相互に接触する支持プレート２４ｂの内面とカバープレート２４ｃの一対の突条部２４ｃ4とを超音波融着する。なお、超音波溶着の代わりに接着剤による接着でもよい。
組み立てられた導電ユニット２４において、支持プレート２４ｂはカバープレート２４ｃよりも長く、各導電ケーブル２４ａは支持プレート２４ｂよりも長いため、各導電ケーブル２４ａの両端部の一部は支持プレート２４ｂにて支持されながら外部に露出する。
なお、導電ケーブル２４ａは、一対の導電ケーブルとしているが、これに限るものではない。例えば、導電ケーブルが１つでもよい。この場合には、１つのケーブルの中に２本の導電ケーブルを通して、１本のケーブルを構成していてもよい。この場合には、溝２４ｃ11（図２０参照）が２つある内のどちらか片方にケーブルを通すことになる。
【００８５】
＜延長管の組み立てについて＞
次に、延長管２０の組み立ての一例について説明する。
まず、導電ユニット２４を管本体２１内に挿通させた後、導電ユニット２４の一対の雄型端子部２４ａ2および一対の雌型端子部２４ａ3を第１接続管部２２および第２接続管部２３に組み込む。
【００８６】
一対の雄型端子部２４ａ2は、第１接続管部２２の接続管本体２２ａ内に挿入され引出し口２２ａ21から外部に引き出されてリブ構造２２ａ22に固定される。リブ構造２２ａ22に固定された一対の雄型端子部２４ａ2は、リブ構造２２ａ22から管長手方向へ突出する。この際、導電ユニット２４の支持プレート２４ｂの一端部側の一対の引っ掛け片２４ｂ2を接続管本体２２ａの一対の受け片２２ａ11上に載せる。
【００８７】
なお、導電ユニット２４を管本体２１、第１および第２接続管部２２、２３の内面に沿わせることができるように、導電ユニット２４における管本体２１、第１および第２接続管部２２、２３の内面と対面する部分、すなわち、支持プレート２４ｂの一対の引っ掛け片２４ｂ2の外面およびカバープレート２４ｃの外面は、円弧面状に形成されている。
【００８８】
次に、小片２２ｂおよびカバー部材２２ｃを接続管本体２２ａに取り付け、接続管本体２２ａの固定部２２ａ1を接着剤を介して管本体２１の一端部内に挿入し固定する。このとき、第１接続管部２２の位置決め凸部２２ａ12を管本体２１の切欠き部２１ｎに係合させて位置決めする。
【００８９】
一対の雌型端子部２４ａ3は、第２接続管部２３の接続管本体２３ａ内に挿入され引出し口２３ａ21から外部に引き出されてリブ構造２３ａ22に固定される。リブ構造２２ａ22に固定された一対の雄型端子部２４ａ2は、リブ構造２２ａ22に設けられた一対の孔部と連通する。この際、導電ユニット２４の支持プレート２４ｂの他端部側の一対の引っ掛け片２４ｂ2を接続管本体２３ａの一対の受け片２２ａ11（図２２参照）上に載せる。これにより、導電ユニット２４の両端部が第１および第２接続管部２２、２３にて支持されるため、導電ユニット２４は管本体２１内で支持されずとも浮き上がった姿勢を維持することができる。第１および第２接続管部２２、２３の両側のみで、導電ユニット２４を管本体２１内で支持できるため、管本体２１に対しては、特に手を加えることはないので、低コストででき、組み立て作業性も向上する。また、導電ユニット２４が反りによって管本体２１の内面から離れて隙間が形成されないように、支持プレート２４ｂは横断面が浅いＵ形に形成され、カバープレート２４ｃは横断面がＷ形に形成され、それぞれ長手方向に対してリブが設けられている。
【００９０】
次に、小片２３ｂおよびカバー部材２３ｅを接続管本体２３ａに取り付け、接続管本体２３ａの固定部２３ａ1を接着剤を介して管本体２１の他端部内に挿入し固定する。このとき、第２接続管部２３の位置決め凸部２３ａ12を管本体２１の切欠き部２１ｎに係合させて位置決めする。
これにより、延長管２０の組み立てが完了する。
【００９１】
＜吸込口体について＞
図２３は実施形態１の電気掃除機における吸込口体を示す底面図であり、図２４は図２３に示す吸込口体の側面図である。また、図２５は図２３に示す吸込口体のＩ−Ｉ矢視断面図であり、図２６は図２３に示す吸込口体のＩＩ−ＩＩ矢視断面図である。
図２３〜図２６に示すように、吸込口体４０は、底板部４１ａと、底板部４１ａに対面する天板部４１ｂと、進行方向（図２３の矢印Ｘ方向）の前後に設けられた前板部４１ｃおよび後板部４１ｄと、天板部４１ｂの進行方向の左右に設けられた左側板部４１ｅおよび右側板部４１ｆを備える
【００９２】
吸込口体４０は、図２３に示すように、底板部４１ａに設けられ左右方向（矢印Ａ１方向）に伸びる吸込口４１と、吸込口４１の後方に接続軸部４２ｘを介して接続された接続パイプ部４２と、吸込口４１に左右方向に伸びる軸心周りに回転可能に設けられた回転ブラシ４３と、吸込口４１と接続パイプ部４２とを接続する吸引流路１６（図２５）と、回転ブラシ４３を駆動する回転ブラシ用モータ４４（図２６）と、回転ブラシ４３の図２３における左端部を覆うブラシカバー部材８０と、底板部４１ａに設けられた持上げ検知スイッチ４７および車輪５４とを備える。
【００９３】
なお、図２６に示すように、回転ブラシ用モータ４４のモータ出力軸４６に固定されたモータ出力ギア５０と、回転ブラシ４３に付設されたギア部５８ｂとは、タイミングベルト４８によって結合されている。
【００９４】
従って、操作部１１ｅ（図１）の起動スイッチが投入され、床面の清掃作業が開始されると、回転ブラシ用モータ４４により駆動される回転ブラシ４３によって床面の塵埃が掃き寄せられ、吸込口４１から吸引流路１６と接続パイプを通ってダストカップユニット１２（図１）の方へ搬送される。
【００９５】
持上げ検知スイッチ４７は、車輪を有する揺動レバー部と、揺動レバー部を揺動可能に支持するスイッチ本体と、揺動レバー部を下方へ付勢するねじりコイルばねとを有し、スイッチ本体が底板部４１ａに収納された回転ブラシ用モータ駆動回路基板に接続され、揺動レバー部の車輪が底板部４１ａから外部下方へ露出している。
【００９６】
吸込口体４０が持ち上げられて床面から離れると、持上げ検知スイッチ４７が働いて回転ブラシ用モータ４４の駆動を強制的に停止させるようになっている。
【００９７】
この吸込口体４０の内部には回転ブラシ用モータ４４および持上げ検知スイッチ４７と電気的に接続された一対のリード線が設けられており、一対のリード線はパイプ部４２に設けられたピン形の一対の雄型端子部４２ａに電気的に接続されている。
また、パイプ部４２の先端部には係止凹部４２ｂが設けられている。
【００９８】
このように構成された吸込口体４０は、延長管２０の第２接続管部２３と着脱可能に接続される。この際、吸込口体４０の一対の雄型端子部４２ｂが延長管２０の一対の雌型端子部２４ａ3に差し込まれて電気的に接続されると共に、吸込口体４０の係止凹部４２ｂに延長管２０のロック部材２３ｃの係止爪部２３ｃ3が係脱可能に係止する（図１、図１３、図１４参照）。
【００９９】
（実施形態２）
実施形態１では、駆動装置１１の本体部１１ａの係止凸部（係止雄部）１１ａ12がダストカップユニット１２のフィルター部１２の係止凹部（係止雌部）１２ｃ11に係止する場合を例示したが、係止凸部１１ａ12および係止凹部１２ｃ11は省略してもよい。また、これに伴い、フィルター部１２の位置決め凸部（突起部）１２ｃ21、カップ部１２ｂの切欠き部（位置決め凹部）１２ｂ5および駆動装置１１の吸込筒部１１ｄの凹部１１ｘ12も省略してもよい。
【０１００】
（実施形態３）
実施形態１ではバッテリー１３を掃除機本体１０に着脱可能な電気掃除機１を例示したが、バッテリーは掃除機本体内に内蔵されていてもよい。この場合、外部の商用電源に接続された充電スタンドに掃除機本体をセットしてバッテリーを充電する。
【０１０１】
（まとめ）
本発明の電気掃除機は、ダストカップユニットと、電動送風機を内蔵しかつ前記ダストカップユニットが装着される装着部を有する駆動装置と、前記ダストカップユニットを前記駆動装置の前記装着部に着脱可能とするロック機構部とを有する掃除機本体を備え、
前記ダストカップユニットは、底部と外周部と開口部とを有する集塵容器と、前記集塵容器の前記開口部に着脱可能に嵌め込まれるカップ部と、前記カップ部に設けられた開口部に着脱可能に嵌め込まれるフィルター部とを有し、
前記ロック機構部は、前記駆動装置と前記集塵容器とを係脱可能に係止する第１係止部と、前記駆動装置と前記カップ部とを係脱可能に係止する第２係止部とを有してなる。
【０１０２】
本発明の電気掃除機は、次のように構成されてもよく、それらが適宜組み合わされてもよい。
（１）前記第１係止部は、前記ダストカップユニットの前記集塵容器の外周部に設けられた係止凹部と、前記駆動装置の前記装着部に設けられて前記係止凹部に係脱可能に係止するフック部材とを有し、
前記第２係止部は、前記駆動装置の前記装着部に設けられた係合凹部と、前記ダストカップユニットの前記カップ部に設けられて前記係合凹部と係脱可能に係合する係合爪とを有してもよい。
このようにすれば、フック部材に係止凹部を引っ掛けた状態でダストカップユニットを駆動装置に対して揺動させることにより駆動装置の装着部へのダストカップユニットの脱着を容易に行うことができる。
【０１０３】
（２）前記駆動装置の前記装着部に設けられた係止雄部と、前記ダストカップユニットの前記フィルター部に設けられて前記係止雄部と係脱可能に係止する係止雌部とをさらに有してもよい。
このようにすれば、駆動装置に装着されたダストカップユニットにおいて、フィルター部が駆動装置に対して固定されるため、第２係止部側のロック状態がより強固となる。
【０１０４】
（３）前記フィルター部は、外周部と、前記外周部に設けられた突起部とを有し、
前記カップ部は、その前記開口部の端縁部に設けられて前記突起部を嵌め入れる位置決め凹部を有してもよい。
このようにすれば、駆動装置にダストカップユニットを装着する際に係止雌部が係止雄部と係止するよう、フィルター部をカップ部に適切に嵌め込むことができる。
【０１０５】
（４）前記駆動装置は、前記電動送風機が内蔵された本体部と、本体部から前方へ突出した吸込筒部とを有すると共に、前記本体部と前記吸込筒部とに沿ったスペースを前記装着部として有し、
前記ダストカップユニットの前記フィルター部は、その外周端部にパッキン部を有し、
前記ダストカップユニットが前記駆動装置の前記装着部に装着された状態において、前記パッキン部が前記本体部に密着するように構成されてもよい。
このようにすれば、ダストカップユニットの装着時において、フィルター部のパッキン部が駆動装置の本体部に密着することにより、本体部とフック部材との間でダストカップユニットが突っ張った状態となる。そのため、フィルター部をカップ部内に収納しなければダストカップユニット（フィルター部なし）を駆動装置の装着部に装着できず、従来のダストカップユニットの忘れ防止機構を削減しながら同じ機能を有することができる。
【０１０６】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１０７】
１  電気掃除機
１０  掃除機本体
１１  駆動装置
１１ａ  本体部
１１ａ12  係止雄部（係止凸部）
１１ａ13  係合凹部（第２係止部）
１１ａｍ  電動送風機
１１ｄ  吸込筒部
１１ｘ2  フック部材（第１係止部）
１２  ダストカップユニット
１２ａ  集塵容器
１２ａ1  底部
１２ａ2  外周部
１２ａ21  係止凹部（第１係止部）
１２ａ3  開口部
１２ｂ  カップ部
１２ｂ22  係合爪（第２係止部）
１２ｂ5  位置決め凹部（切欠き部）
１２ｃ  フィルター部
１２ｃ11  係止雌部（係止凹部）
１２ｃ2  パッキン部
１２ｃ21  突起部（位置決め凸部）
【図１】
2018075188.tif 000003
【図２】
2018075188.tif 000004
【図３】
2018075188.tif 000005
【図４】
2018075188.tif 000006
【図５】
2018075188.tif 000007
【図６】
2018075188.tif 000008
【図７】
2018075188.tif 000009
【図８】
2018075188.tif 000010
【図９】
2018075188.tif 000011
【図１０】
2018075188.tif 000012
【図１１】
2018075188.tif 000013
【図１２】
2018075188.tif 000014
【図１３】
2018075188.tif 000015
【図１４】
2018075188.tif 000016
【図１５】
2018075188.tif 000017
【図１６】
2018075188.tif 000018
【図１７】
2018075188.tif 000019
【図１８】
2018075188.tif 000020
【図１９】
2018075188.tif 000021
【図２０】
2018075188.tif 000022
【図２１】
2018075188.tif 000023
【図２２】
2018075188.tif 000024
【図２３】
2018075188.tif 000025
【図２４】
2018075188.tif 000026
【図２５】
2018075188.tif 000027
【図２６】
2018075188.tif 000028